(57)【要約】【課題】風向体の金型コストを低減すると共に、風向板の方向を個々に調整可能とし、また、風向板を着脱可能として、清掃を容易にすること。【解決手段】本体の前面の吸込口と、上面の吹出口とを結ぶ空気通路に、送風ファンと、熱交換器を配設し、前記吹出口３に少なくとも、複数の左右風向板を配設してなる空気調和機において、前記吹出口の後壁に複数の支軸部１１を設ける一方、風向板ユニット９の一側に同支軸部１１に軸方向と直角方向から装着して、同支軸部１１を把持する把持部９ｄを設け、前記風向板ユニット９は、一対の左右風向板を、薄肉部９ｃを介して連結部９ｂにより連結するように合成樹脂にて一体的に形成されている。【選択図】図４
2005147455.tif 000002
【特許請求の範囲】
【請求項１】
吸込口と吹出口とを備え、同吹出口に風向板群を設けてなる空気調和装置において、前記風向板群は、隣り合う風向板の少なくとも一側端を薄肉部を介して連結部により一体に連結した複数の風向板ユニットからなることを特徴とする空気調和装置。
【請求項２】
前記風向板ユニットは夫々が所定の角度に設定可能にしたことを特徴とする請求項１に記載の空気調和装置。
【請求項３】
前記風向板ユニットは、隣り合う前記風向板と、同風向板を連結する前記連結部とを樹脂材により同一面上に展開して形成され、前記薄肉部により折曲することを特徴とする請求項１に記載の空気調和装置。
【請求項４】
前記吹出口の一側壁に支軸を複数突設させ、前記風向板ユニットに前記支軸に着脱自在となる把持部を突設したことを特徴とする請求項１に記載の空気調和装置。
【請求項５】
前記風向板ユニットは、前記支軸に設けられた規制部により、角度範囲が規制されることを特徴とする請求項１又は請求項２又は請求項３に記載の空気調和装置。
【発明の詳細な説明】
【技術分野】
【０００１】
本発明は空気調和機に係わり、詳細には吹出口に備えられた左右風向板の構造に関する。
【背景技術】
【０００２】
空気調和機は、吸込口と吹出口とを結ぶ空気通路に熱交換器と送風機とを設け、前記吸込口から吸い込まれた空気を前記熱交換器で冷却あるいは加熱させた後、前記吹出口から吹き出すと共に、同吹出口に配設した複数の風向板を回動させて、吹き出し方向が変えられるようにしている。吹出口に配設された従来の風向板は、例えば図８（Ｂ）に示すように、軸受２１０により軸支された複数の風向板２３１、２３３及び２３２をロッド２１４により連結し、同ロッド２１４を左右方向に往復的に移動させることにより、風向板がこれに連動して回動し、空気の吹出方向を偏向するようにしている。他の例として図８（Ａ）に示すように、複数の風向板３１をロッド３０と肉薄ヒンジ部３２で連結するようにして樹脂成型の際、一体に形成し、前記ロッド３１を左右方向に移動させることにより、前記風向板３１を夫々回動させる構成がある。
【０００３】
しかしながら、ロッドと風向板とを別部材として夫々製作する方法は、複数の金型が必要となりコストの上昇を招くこととなる。又、多数の風向板とロッドとを一体に形成する方法は、金型におけるコストの低減ははかれるが、使用できる機種が限定され、例えば能力クラスの異なる機種には採用することができないという問題点があった。
【０００４】
また、上記した例は夫々の風向板が連結部あるいは肉薄ヒンジ部でロッドと連結されているため、風向板の角度を個別に調整することができず、又、調整角度が大きすぎると吹出口の両側壁に冷却された空気が吹出され、その部位に結露が発生するという問題を生じる。また、風向板の表面に汚れが付着したような場合、狭い吹出口内に手を差し入れて掃除を行う必要があり、清掃が容易に行えないというような不具合があった。
【０００５】
【特許文献１】特開平１０−４７７４８号公報
【発明の開示】
【発明が解決しようとする課題】
【０００６】
本発明は、上記問題点に鑑み、風向板の金型コストを低減して、たとえ少ロット生産であっても採算性が向上すると共に、風向板の調整角度を個別に可能として、吹出口における結露の発生を防止し、又、風向板の清掃を容易に行える空気調和機を提供することを目的とする。
【課題を解決するための手段】
【０００７】
本発明は上記問題点を解決するため、吸込口と吹出口とを備え、同吹出口に風向板群を設けてなる空気調和装置において、前記風向板群は、隣り合う風向板の少なくとも一側端を薄肉部を介して連結部により一体に連結した複数の風向板ユニットから構成されている。
【０００８】
また、前記風向板ユニットは夫々が所定の角度に設定可能にした構成となっている。
【０００９】
また、前記風向板ユニットは、隣り合う前記風向板と、同風向板を連結する前記連結部とを樹脂材により同一面上に展開して形成され、前記薄肉部により折曲する構成となっている。
【００１０】
また、前記吹出口の一側壁に支軸を複数突設させ、前記風向板ユニットに前記支軸に着脱自在となる把持部を突設した構成となっている。
【００１１】
また、前記風向板ユニットは、前記支軸に設けられた規制部により、角度範囲が規制される構成となっている。
【発明の効果】
【００１２】
本発明によると、一対あるいは隣り合う風向板の後縁部を連結部により連結して風向板ユニットを形成し、夫々の風向板ユニットを吹出口に着脱自在に装着することにより、能力クラスの異なる複数の機種に対応できる風向板群とすることができるとともに、個々の風向板ユニットの角度調整を個別に行え、又、汚れが付着した際は、個別に抜脱して清掃を容易に行える空気調和機とすることができる。
【発明を実施するための最良の形態】
【００１３】
以下、本発明の実施の形態を、添付図面に基づいた実施例として詳細に説明する。
【実施例】
【００１４】
図１は本発明による空気調和機を示す外観斜視図、図２はその吹出口を示す斜視図である。
本発明による空気調和機は、図１で示すように、前面を開放した背面パネル１ａと、その上部に被着されるメインパネル１ｂと、下部に被着される吸込グリル１ｃと、上面に被着され吹出口３を備えたトップカバー７とで本体を構成し、前記吸込グリル１ｃと前記吹出口３とを結ぶ空気通路に、送風ファンと熱交換器とを配設している。前記トップカバー７に備えられた吹出口３には、上下風向板８と、左右風向板群が設けられている。
【００１５】
前記トップカバー７に備えられた吹出口３は、図２で示すように、後部側に上下に回動自在な上下風向板８を設け、前部に複数の左右風向板群を設けている。前記上下風向板８は、図３での裏面側からの斜視図で示すように、モータベース８２に固定されたステッピングモータ８１により減速ギアを介して回動されるようになっている。
【００１６】
前記左右風向板群は、図４及び図５で示すように、一対の左右風向板の後端部を９を棒状の連結部９ｂにより連結して風向板ユニット９を形成し、同風向板ユニット９を左右方向に連設して構成されている。同風向板ユニット９の前記連結部９ｂと左右風向板との繋ぎ目にはヒンジ性を備えた薄肉部９ｃが設けてあり、これにより風向板ユニット９は樹脂成型により一体に形成されている。各左右風向板の下部には、一側を略ハの字状に開放してガイド部９ｄ’を形成した円筒状の把持部９ｄが形成されており、同把持部９ｄは、前記吹出口３を構成する後壁７ｂから突設された複数の支軸部１１に回動自在に装着されるようになっている。また、前記左右風向板の前縁にはツマミ９ａが突設されており、同ツマミ９ａを指先で摘まみ作動させることにより、各々の風向板ユニット９を個別に任意の角度に調整できるようになっている。
【００１７】
前記支軸部１１は、図５で示すように、前記把持部９ｄが嵌合する支軸１１ａと、その先端に前記左右風向板の回動角度を制限する、略コ字状に形成されたストッパー１１ｃを備えている。また、前記支軸１１ａの周面には複数の縦溝１１ｂが設けられており、前記把持部９ｄの内面には同縦溝１１ｂに嵌合する凸条部９ｅが設けられている。前記把持部９ｄをガイド部９ｄ’から前記支軸部１１の支軸１１ａの軸方向と直交する方向から嵌合し、前記凸条部９ｅを前記縦溝１１ｂに合わせることにより、風向板ユニット９は前記吹出口３に装着されるようになっている。この状態で使用者が前記ツマミ９ａを指先で左右に動かすことにより前記支軸１１ａを中心に連動する２枚の左右風向板９が前記ストッパー１１ｃに当接する範囲まで風向板の角度を調整することができるようになっている。また、この時、前記凸条部９ｅが縦溝１１ｂに嵌合するとクリック音を発生し、使用者に快適な操作感を与えることができる。又、前記ストッパー１１ｃの角度制限幅を、例えば吹出口３の両端部で狭く設定することにより、前記吹出口３の両側壁に発生しやすい露付きを防止することができるようになっている。
【００１８】
前記風向板ユニット９の表面に汚れが付着した際は、前記ツマミ９ａを手前に引くことにより、前記把持部９ｄを支軸１１ａから外し、風向板ユニット９を前記吹出口３から抜脱して清掃することができ、容易に清掃作業を行えるようになっている。
【００１９】
前記風向板ユニット９は、図６（Ａ）及び図６（Ｂ）で示すように、前記薄肉部９ｃにヒンジ性を備えさせるためＰＰ（ポリプロピレン）等の樹脂で一体成形により形成され、一対の左右風向板はそのツマミ９ａが左右両端に対称に配置されるように形成される。そしてこれら２枚の左右風向板は薄肉部９ｃを介して連動部９ｂで接続された形状としている。これにより、成形金型が小型でしかも簡易な形状となるので、金型コストが低減でき、少量生産に適用できるとともに、各機種に対応して使用しることができるようになっている。図７は任意の風向板ユニットを回動させた状態を示す断面図である。
【図面の簡単な説明】
【００２０】
【図１】本発明による空気調和機の外観斜視図である。
【図２】吹出口の斜視図である。
【図３】吹出口の裏面側からの斜視図である。
【図４】風向板ユニットの斜視図である。
【図５】風向板ユニットを支軸部から抜脱した状態を示す斜視図である。
【図６】（Ａ）は風向板ユニットを展開した状態を示す斜視図である。  （Ｂ）は風向板ユニットの正面図及び立面図である。
【図７】風向板ユニットの断面図である。
【図８】（Ａ）は従来の風向板の一例を示す斜視図である。  （Ｂ）は従来の風向板の他の例を示す斜視図である。
【符号の説明】
【００２１】
１  本体
１ａ  背面パネル
１ｂ  メインパネル
１ｃ  吸込グリル
３  吹出口
７  トップカバー
７ｂ  吹出口後壁
８  上下風向板
９  風向板ユニット
９ａ  ツマミ
９ｂ  連結部
９ｃ  薄肉部
９ｄ  把持部
９ｄ’  ガイド部
９ｅ  凸条部
１１  支軸部
１１ａ  支軸
１１ｂ  縦溝
１１ｃ  ストッパー
【図１】
2005147455.tif 000003
【図２】
2005147455.tif 000004
【図３】
2005147455.tif 000005
【図４】
2005147455.tif 000006
【図５】
2005147455.tif 000007
【図６】
2005147455.tif 000008
【図７】
2005147455.tif 000009
【図８】
2005147455.tif 000010